(57)【要約】【課題】新たなパーツを追加することなく自画撮りを容易に行なうことのできるスライド式ケースを備えた携帯電話およびカメラを提供すること。【解決手段】メインケース２とサブケース３をスライド可能に接続する摺嵌部材５の鏡面仕上げされた金属表面を被写体となる撮影者自身の姿を映すための鏡として利用することにより、独立した鏡やサブディスプレイを携帯電話に追加しなくても撮影領域を容易に確認して自画撮りを行なうことができるようにし、装置の製造コストや厚みの増大を抑える。【選択図】図２
2011027976.tif 000002
【特許請求の範囲】
【請求項１】
メインケースとサブケースをスライド可能に接続してなるスライド式ケースを備えた携帯電話であって、
前記サブケースにおけるメインケースとの対向面の少なくとも一部を覆うようにして、メインケースの対向面と摺嵌するための金属製の摺嵌部材が固設され、
前記サブケースとメインケースとを相対的にスライドさせた状態で少なくとも前記摺嵌部材の一部が外部に露出するようにして、前記摺嵌部材を介して前記メインケースと前記サブケースとがスライド可能に接続されると共に、
前記サブケースにおける反対側の面には液晶ディスプレイとスピーカが配置され、
前記メインケースにおける反対側の面に撮影用のレンズが実装され、
前記メインケースにおける対向面には、前記サブケースとメインケースとを相対的にスライドさせた状態で外部に露出する位置に操作ボタン群とマイクが配置され、
前記摺嵌部材の表面が鏡面仕上げされていることを特徴とするスライド式ケースを備えた携帯電話。
【請求項２】
前記撮影用のレンズを、前記メインケースにおける反対側の面に代えて、前記サブケースの対向面であって且つ前記サブケースとメインケースとを相対的にスライドさせた状態で外部に露出する位置に実装したことを特徴とする請求項１記載のスライド式ケースを備えた携帯電話。
【請求項３】
メインケースとストロボユニットをスライド可能に接続してなるスライド式ケースを備えたカメラであって、
前記メインケースにおけるストロボユニットとの対向面の少なくとも一部を覆うようにして、ストロボユニットの対向面を摺嵌するための金属製の摺嵌部材が固設され、
前記ストロボユニットとメインケースとを相対的にスライドさせた状態で少なくとも前記摺嵌部材の一部が外部に露出するようにして、前記摺嵌部材を介して前記メインケースと前記ストロボユニットとがスライド可能に接続されると共に、
前記メインケース側の対向面に撮影用のレンズが実装され、
前記摺嵌部材の表面が鏡面仕上げされていることを特徴とするスライド式ケースを備えたカメラ。
【請求項４】
メインケースとレンズバリアをスライド可能に接続してなるスライド式ケースを備えたカメラであって、
前記メインケースにおけるレンズバリアとの対向面の少なくとも一部を覆うようにして、レンズバリアの対向面を摺嵌するための金属製の摺嵌部材が固設され、
前記レンズバリアとメインケースとを相対的にスライドさせた状態で少なくとも前記摺嵌部材の一部が外部に露出するようにして、前記摺嵌部材を介して前記メインケースと前記レンズバリアとがスライド可能に接続されると共に、
前記メインケースの対向面であって且つ前記レンズバリアとメインケースとを相対的にスライドさせた状態で外部に露出する位置に撮影用のレンズが実装され、
前記摺嵌部材の表面が鏡面仕上げされていることを特徴とするスライド式ケースを備えたカメラ。
【発明の詳細な説明】
【技術分野】
【０００１】
本発明は、撮影機能を有する携帯電話およびストロボやレンズバリアを備えたカメラの改良に関する。
【背景技術】
【０００２】
撮影機能を有する装置としては距離計連動式カメラや一眼レフ等のフィルムカメラ，各種のディジタルカメラ，携帯電話等が公知である。
【０００３】
距離計連動式カメラや一眼レフ等のフィルムカメラの場合、撮影者自身が被写体となって自らを撮影する自画撮りは一種のノーファインダー撮影に相当する。理論上は実施可能であるが、ファインダーを利用して撮影領域を確認することができないので確実な撮影を行なうことは難しい。
【０００４】
ディジタルカメラのうち姿勢変更可能なプレビュー用ディスプレイを備えたものは、被写体である撮影者自身の側にディスプレイを向けて撮影領域を確認することができるので容易に自画撮りが実現できるが、プレビュー用ディスプレイを姿勢変更可能とするためには複雑なジョイント構造が必要であり、装置が割高となると共に故障因子が増大する不都合がある。
【０００５】
携帯電話の場合、電子メールの送受信やインターネットのＷｅｂページの購読は既に一般的な機能となっており、電子メールを作成したり受信した電子メールを確認したりするためのメインディスプレイが設けられているのが普通であり、撮影機能付き携帯電話にあっては、通常、このメインディスプレイを撮影用のプレビュー用ディスプレイとして利用するが、更に、撮影用のレンズを実装したケースの表面にメインディスプレイとは独立したサブディスプレイを設け、このサブディスプレイをプレビュー用ディスプレイとして利用することで自画撮りを容易に行なえるようにしたもの提案されている。しかし、サブディスプレイの追加には、やはり、装置が割高となる点や故障因子が増大する点で不都合がある。
【０００６】
これに対し、製造コストや故障因子の増大を抑えた撮影機能付き携帯電話として、特許文献１に開示されるような携帯電話端末が提案されている。このものは、カメラのレンズを備えた筐体の面に鏡を備えた構成を有し、この鏡に被写体である撮影者自身の姿を映し出すことによって撮影状態を確認するようにしたものである。
特許文献１では鏡の取り付け方法に関しては具体的に開示されていないが、鏡となる部品を単純に貼り付けた場合には携帯電話の厚みが増大する恐れがあり、また、フィルム状の薄いものを貼り付けた場合には容易に剥がれ落ちるといった可能性が高い。あるいは、筐体の表面に小型の鏡をインレイ状に埋設することも考えられるが、何れの場合も鏡それ自体を独立したパーツとして製造する必要があるので、製造コストの増加は免れない。
【先行技術文献】
【特許文献】
【０００７】
【特許文献１】特開２００５−３４１１２６号公報（請求項５，段落００３４−００３６，００３８，００４０，図１１）
【発明の概要】
【発明が解決しようとする課題】
【０００８】
そこで本発明の目的は、新たなパーツを追加したり装置を大型化したりすることなく自画撮りを容易に行なうことのできる携帯電話やカメラを提供することにある。
【課題を解決するための手段】
【０００９】
本発明の携帯電話は、メインケースとサブケースをスライド可能に接続してなるスライド式ケースを備えた携帯電話であり、前記目的を達成するため、特に、
前記サブケースにおけるメインケースとの対向面の少なくとも一部を覆うようにして、メインケースの対向面と摺嵌するための金属製の摺嵌部材が固設され、
前記サブケースとメインケースとを相対的にスライドさせた状態で少なくとも前記摺嵌部材の一部が外部に露出するようにして、前記摺嵌部材を介して前記メインケースと前記サブケースとがスライド可能に接続されると共に、
前記サブケースにおける反対側の面には液晶ディスプレイとスピーカが配置され、
前記メインケースにおける反対側の面に撮影用のレンズが実装され、
前記メインケースにおける対向面には、前記サブケースとメインケースとを相対的にスライドさせた状態で外部に露出する位置に操作ボタン群とマイクが配置され、
前記摺嵌部材の表面が鏡面仕上げされていることを特徴とする構成を有する。
【００１０】
また、サブケースの厚みに余裕があれば、前記撮影用のレンズは、前記メインケースにおける反対側の面に代えて、前記サブケースの対向面であって且つ前記サブケースとメインケースとを相対的にスライドさせた状態で外部に露出する位置に実装してもよい。
【００１１】
メインケースとストロボユニットをスライド可能に接続してなるスライド式ケースを備えたカメラにあっては、前記と同様の目的を達成するため、
前記メインケースにおけるストロボユニットとの対向面の少なくとも一部を覆うようにして、ストロボユニットの対向面を摺嵌するための金属製の摺嵌部材が固設され、
前記ストロボユニットとメインケースとを相対的にスライドさせた状態で少なくとも前記摺嵌部材の一部が外部に露出するようにして、前記摺嵌部材を介して前記メインケースと前記ストロボユニットとがスライド可能に接続されると共に、
前記メインケース側の対向面に撮影用のレンズが実装され、
前記摺嵌部材の表面が鏡面仕上げされていることを特徴とする構成を適用した。
【００１２】
同様に、メインケースとレンズバリアをスライド可能に接続してなるスライド式ケースを備えたカメラにあっては、
前記メインケースにおけるレンズバリアとの対向面の少なくとも一部を覆うようにして、レンズバリアの対向面を摺嵌するための金属製の摺嵌部材が固設され、
前記レンズバリアとメインケースとを相対的にスライドさせた状態で少なくとも前記摺嵌部材の一部が外部に露出するようにして、前記摺嵌部材を介して前記メインケースと前記レンズバリアとがスライド可能に接続されると共に、
前記メインケースの対向面であって且つ前記レンズバリアとメインケースとを相対的にスライドさせた状態で外部に露出する位置に撮影用のレンズが実装され、
前記摺嵌部材の表面が鏡面仕上げされていることを特徴とする構成を適用した。
【発明の効果】
【００１３】
本発明は、メインケースとサブケース或いはメインケースとストロボユニット若しくはメインケースとレンズバリアをスライド可能に接続する摺嵌部材を鏡面仕上げし、この金属表面を被写体となる撮影者自身の姿を映すための鏡として利用するようにしたので、独立した鏡やサブディスプレイを追加しなくても、撮影機能を有する携帯電話およびストロボやレンズバリアを備えたカメラにより撮影領域を容易に確認して自画撮りを行なうことができ、装置の製造コストも抑えられる。
【００１４】
また、装置を閉じた状態では摺嵌部材が装置の内部に隠れるので、鏡面仕上げされて鏡として機能する摺嵌部材の表面に不用意に傷が付くといった恐れがなく、独立した鏡の取り付けによる装置の厚みの増大といった不都合も発生しない。
【図面の簡単な説明】
【００１５】
【図１】本発明を撮影機能付き携帯電話に適用した場合の実施形態についてサブケースとメインケースとを相対的にスライドさせた状態で示した側面図である。
【図２】撮影用のレンズを取り付けた面を手前に向けた状態で同実施形態の撮影機能付き携帯電話を示した正面図である。
【図３】同実施形態の撮影機能付き携帯電話のスライド状態を解除して閉じた状態について示した側面図である。
【図４】本発明をストロボ付きカメラに適用した場合の一実施形態について簡略化して示した正面図である。
【図５】本発明をレンズバリアを備えたカメラに適用した場合の一実施形態について簡略化して示した正面図である。
【発明を実施するための形態】
【００１６】
次に、本発明を実施するための形態について幾つかの具体例を挙げ、図面を参照して具体的に説明する。
【００１７】
図１は本発明を撮影機能付き携帯電話に適用した場合の実施形態について、サブケースとメインケースとを相対的にスライドさせた状態で示した側面図、図２は撮影用のレンズを取り付けた面を手前に向けた状態で同実施形態の撮影機能付き携帯電話を図１中の矢視Ａの方向から示した正面図、図３は同実施形態の撮影機能付き携帯電話を閉じた状態について示した側面図である。
【００１８】
この実施形態の撮影機能付き携帯電話１は、図１に示されるように、メインケース２とサブケース３をスライド可能に接続してなるスライド式ケース４をアウターケーシングとして備える。
【００１９】
そして、図２に示されるように、サブケース３におけるメインケース２との対向面３ａの少なくとも一部を覆うようにして、メインケース２の対向面２ａと摺嵌するための金属製の摺嵌部材５がサブケース３に固設され、図１および図２に示される通り、サブケース３とメインケース２とを相対的にスライドさせて開いた状態で少なくとも摺嵌部材５の一部が外部に露出するようにして、この摺嵌部材５を介してメインケース２とサブケース３とがスライド可能に接続されている。
【００２０】
更に、図１に示されるように、サブケース３における反対側の面３ｂには受信した電子メールの表示等に利用される液晶ディスプレイ６と通話に利用されるスピーカ７が配置され、また、図２に示されるように、メインケース２における反対側の面２ｂには撮影用のレンズ８が実装されている。
【００２１】
そして、メインケース２における対向面２ａには、図１に示されるように、サブケース３とメインケース２とを相対的にスライドさせた状態で外部に露出する位置にテンキーや文字キー等からなる操作ボタン群９と通話用のマイク１０が配置されている。
【００２２】
金属製の摺嵌部材５の表面にはバフがけやラッピングもしくは化学研磨等の処理で鏡面仕上げが施されている。
【００２３】
摺嵌部材５は製造工程におけるプレス加工の容易性や鏡面仕上げされた表面の耐腐食性等を考慮してステンレス鋼等を使用することが望ましいが、他の金属材料であっても、鏡面仕上げした表面にクロームメッキ等を施せば利用可能である。
【００２４】
撮影機能付き携帯電話１それ自体の機能、例えば、通話機能，メールの送受信機能，撮影機能等については既に公知であるので、ここでは特に説明しない。
【００２５】
この撮影機能付き携帯電話１を使用して撮影者自身を被写体として撮影する自画撮りを行なう場合には、サブケース３とメインケース２を相対的にスライドさせて図１および図２に示されるような状態に開き、図２に示されるようにして、撮影用のレンズ８の前玉を撮影者の顔に向ける。
【００２６】
撮影用のレンズ８と摺嵌部材５の表面は共に同一面側つまりサブケース３における対向面３ａ上とメインケース２における反対側の面２ｂ上に位置するので、撮影用のレンズ８を覗き込む撮影者自身の顔が鏡として機能する摺嵌部材５の表面に映し出される。従って、撮影者は摺嵌部材５の映り込みを参照して撮影領域を確認しながら容易に自画撮りの撮影操作を行うことができる。
【００２７】
この実施形態では、摺嵌部材５と撮影用のレンズ８との離間距離、および、メインケース２における対向面２ａとサブケース３における対向面３ａの円弧状の微妙な反りを考慮し、撮影時にパララックスが生じないように、撮影用のレンズ８の光軸を上方つまり図１中の時計回り方向に僅かに傾けているので、撮影者が腕を伸ばして自画撮りを行なう状況下で摺嵌部材５の中心に映り込む領域が撮影用のレンズ８の光軸に沿って撮像されることになる。従って、摺嵌部材５と撮影用のレンズ８とが離間し、更には、メインケース２やサブケース３に円弧状の微妙な反りが形成されていても、自画撮りの際に不用意なパララックスが生じることはない。
液晶ディスプレイ６をプレビューに利用して行なう通常の撮影（自画撮り以外の撮影）では、飽くまでも、撮影用のレンズ８によって捉えられる画像が液晶ディスプレイ６に其のまま表示されるので、撮影用のレンズ８の光軸を傾けた設計を行なっても、液晶ディスプレイ６を利用した通常の撮影には何らの悪影響も生じない。
【００２８】
但し、撮影用のレンズ８がズームレンズや多焦点レンズである場合、撮影用のレンズ８の焦点距離の変化によって撮影領域が変化するが、鏡として機能する摺嵌部材５の表面に映り込む領域それ自体は変化しない。
このため、この実施形態では撮影用のレンズ８の焦点距離に対応させて幾つかの大きさのフレーミング枠を摺嵌部材５の表面にエッチングもしくは彫刻等の手段でマーキングし、撮影用のレンズ８の焦点距離に応じて実際に撮像される画像の領域を摺嵌部材５上で確認できるようにしている。当然、長焦点に対応するフレーミング枠は短焦点に対応するフレーミング枠よりも小さい。
被写界深度の関係上、自画撮りに際しては撮影用のレンズ８を短焦点側にセットして撮影を行なうのが普通であり、この実施形態では、サブケース３の対向面３ａの一部を覆う摺嵌部材５によって大型の鏡を形成することができるので、特に、撮影用のレンズ８を短焦点側にセットして行われる自画撮りにおいて撮影領域を確認する際に有利である。
【００２９】
撮影機能付き携帯電話１を持ち歩いたり格納したりする際には、図３に示されるようにしてメインケース２とサブケース３が完全に重ね合わされた状態となり、摺嵌部材５の表面はメインケース２の対向面２ａで完全に覆われるので、摺嵌部材５の鏡面の傷付きが確実に防止される。
【００３０】
この実施形態では液晶ディスプレイ６を固設したサブケース３の厚みを薄くする必要上、比較的厚みの大きなメインケース２側に撮影用のレンズ８を実装しているが、サブケース３の厚みが十分な場合、或いは、将来的に撮影用のレンズ８の薄型化が進んだ場合にあっては、撮影用のレンズ８をサブケース３におけるメインケース２との対向面３ａ上（図２中で対向面３ａの上端部近傍）に配置することも可能である。
その場合、メインケース２とサブケース３が重ね合わされた状態では撮影用レンズ８も摺嵌部材５の表面と共にメインケース２の対向面２ａで覆われることになるので、撮影用レンズ８の傷付きや汚れも防止される。
【００３１】
以上に述べたように、この実施形態では、摺嵌部材５はメインケース２とサブケース３をスライド可能に接続するための機能部品であり、摺嵌部材５のうちサブケース３の対向面３ａを覆う部分に鏡面仕上げを施して鏡として利用するようにしているので、サブケース３における対向面３ａやメインケース２における反対側の面２ｂに独立した鏡やサブディスプレイを追加実装しなくても、撮影機能付き携帯電話１によって撮影領域を容易に確認して自画撮りを行なうことができる。しかも、摺嵌部材５はメインケース２とサブケース３をスライド可能に接続するための機能部品であることから格別なパーツの追加は不要であり、撮影機能付き携帯電話１の製造コストが抑えられ、追加部品の実装によって携帯電話１の厚みが増大するといった不都合も生じない。
【００３２】
また、メインケース２とサブケース３をスライド可能に接続するための摺嵌部材５がステンレス等の金属製であり、この摺嵌部材５がサブケース３の対向面３ａの大半を覆うことから、撮影機能付き携帯電話１自体の剛性も保証される。
【００３３】
図４は距離計連動式カメラや一眼レフ等のフィルムカメラあるいは各種のディジタルカメラのうちストロボ付きカメラに本発明を適用した場合の一実施形態について簡略化して示した正面図である。
【００３４】
この実施形態のストロボ付きカメラ１１は、メインケース１２とメインケース１２の前面側に位置するストロボユニット１３とをスライド可能に接続してなるスライド式ケース１４を備えたストロボ付きカメラである。
【００３５】
メインケース１２の前面つまりメインケース１２におけるストロボユニット１３との対向面１２ａには、対向面１２ａの一部を覆うようにして、ストロボユニット１３の対向面１３ａ（図４では見えないストロボユニット１３の裏面側）を摺嵌するための金属製の摺嵌部材１５が固設され、図４に示されるように、メインケース１２に対してストロボユニット１３を相対的にスライドさせた状態で少なくとも摺嵌部材１５の一部が外部に露出するようにして、摺嵌部材１５を介してストロボユニット１３がメインケース１２に対してスライド可能に接続されている。
【００３６】
この実施形態にあっては、断面略“コ”の字型にプレス加工された金属板からなる摺嵌部材１５の左右両側の折り返し部１５ａ，１５ａにストロボユニット１３の左右両側の図示しない溝部が嵌合することで、メインケース１２に対するストロボユニット１３の上下方向の摺動が許容されている。
既に周知のように、ストロボユニット１３は、図４に示されるようにメインケース１２に対してポップアップした状態と、図４の状態から下方に押し下げられてストロボユニット１３の対向面１３ａが摺嵌部材１５の表面と完全に重合し、メインケース１２にロックされた状態の２つの態様をとることが可能である。
【００３７】
そして、メインケース１２側の対向面１２ａの略中央部には撮影用のレンズ１６が着脱可能または一体的に実装されている。
【００３８】
金属製の摺嵌部材１５の表面にはバフがけやラッピングもしくは化学研磨等の処理で鏡面仕上げが施されている。
【００３９】
前記と同様、摺嵌部材１５は製造工程におけるプレス加工の容易性や鏡面仕上げされた表面の耐腐食性等を考慮してステンレス鋼等を使用することが望ましいが、他の金属材料であっても、鏡面仕上げした表面にクロームメッキ等を施せば利用可能である。
【００４０】
なお、符号１７は公知の透過式ファインダー、また、符号１８はオートフォーカスに用いられる公知の測距用レンズ等（超音波式でもよい）である。
【００４１】
この実施形態のストロボ付きカメラ１１を使用して撮影者自身を被写体として撮影する自画撮りを行なう場合には、メインケース１２に対してストロボユニット１３を相対的にスライドさせて図４に示されるようなポップアップ状態とし、撮影用のレンズ１６の前玉を撮影者の顔に向ける。
【００４２】
撮影用のレンズ１６と摺嵌部材１５は共に同一の面つまりメインケース１２における対向面１２ａ上に位置するので、撮影用のレンズ１６を覗き込む撮影者自身の顔が鏡として機能する摺嵌部材１５の表面に映し出される。従って、撮影者は摺嵌部材１５の映り込みを参照して撮影領域を確認しながら容易に自画撮りの撮影操作を行うことができる。
【００４３】
この実施形態では、対向面１２ａ上における摺嵌部材１５と撮影用のレンズ１６との離間距離を考慮し、撮影時にパララックスが生じないように、摺嵌部材１５の右端部と上端部が図４中で手前側に向けて迫り出すように僅かに傾けているので、撮影者が腕を伸ばして自画撮りを行なう状況下で摺嵌部材１５の中心に映り込む領域が撮影用のレンズ１６の光軸に沿って撮像されることになる。従って、摺嵌部材１５と撮影用のレンズ１６を離間させた配置であっても自画撮りの際に不用意なパララックスが生じることはない。
【００４４】
更に、撮影用のレンズ１６がズームレンズや多焦点レンズである場合、或いは、レンズの着脱が可能なマウントを有して焦点距離の異なる短焦点レンズを選択的に取り付けられる場合等を考慮して、撮影用のレンズ１６の焦点距離に対応する幾つかの大きさのフレーミング枠を摺嵌部材１５の表面にエッチングもしくは彫刻等の手段でマーキングし、撮影用のレンズ１６の焦点距離に応じ、実際に撮像される画像の領域を摺嵌部材１５上で確認できるようにしてもよい。図４ではフレーミング枠の四隅を“「”印と“」”印で表したマーキング例について例示している。例えば、摺嵌部材１５への全体的な映り込みが３５ミリフィルムカメラの焦点距離２８ミリに相当し、外側のフレーミング枠が３５ミリフィルムカメラの焦点距離５０ミリに相当し、内側のフレーミング枠が３５ミリフィルムカメラの焦点距離８５ミリに相当するといった具合である。
【００４５】
通常の距離計連動式カメラや一眼レフ等のフィルムカメラにあっては携帯電話やディジタルカメラのように液晶ディスプレイを備えたものはなく、また、液晶ディスプレイによるプレビューを行なうような構造にもなっていないが、この実施形態のストロボ付きカメラ１１によれば、撮影者は、摺嵌部材１５の映り込みを参照して撮影領域を確認しながら容易に自画撮りの撮影操作を行うことができる。
【００４６】
また、ディジタルカメラにあっても自画撮りに必要とされる姿勢変更可能なプレビュー用ディスプレイを設ける必要はなく、摺嵌部材１５の映り込みを利用して撮影領域を確認しながら容易に自画撮りの撮影操作を行うことができるので、構造の容易化が実現され得る。
【００４７】
ストロボ付きカメラ１１を持ち歩いたり格納したりする際には、図４の状態からストロボユニット１３を下方に押し下げてストロボユニット１３の対向面１３ａを摺嵌部材１５の表面と完全に重合させて、ストロボユニット１３をメインケース１２にロックした状態とする。摺嵌部材１５の表面がストロボユニット１３の対向面１３ａで完全に覆われるので、摺嵌部材１５の鏡面の傷付きが確実に防止される。
【００４８】
前述した実施形態と同様、摺嵌部材１５はストロボユニット１３をメインケース１２にスライド可能に接続するための機能部品であり、この機能部品の表面に鏡面仕上げを施して鏡として利用するようにしているので、格別なパーツの追加は不要である。よって、ストロボ付きカメラ１１の製造コストが抑えられ、部品の追加によってストロボ付きカメラ１１の厚みが増大するといった不都合も生じない。
【００４９】
図５は距離計連動式カメラ等のフィルムカメラあるいは各種のディジタルカメラのうちレンズバリアを備えたカメラに本発明を適用した場合の一実施形態について簡略化して示した正面図である。
【００５０】
この実施形態のカメラ１９は、メインケース２０とレンズバリア２１をスライド可能に接続してなるスライド式ケース２２を備えたカメラである。
【００５１】
メインケース２０の前面つまりメインケース２０におけるレンズバリア２１との対向面２０ａには、対向面２０ａの一部を覆うようにして、レンズバリア２１の対向面２１ａ（図５では見えないレンズバリア２１の裏面側）を摺嵌するための金属製の摺嵌部材２３が固設され、図５に示されるようにしてメインケース２０に対してレンズバリア２１を相対的にスライドさせた状態で少なくとも摺嵌部材２３の一部が外部に露出するようにして、摺嵌部材２３を介してレンズバリア２１がメインケース２０に対してスライド可能に接続されている。
【００５２】
この実施形態にあっては、断面略“コ”の字型にプレス加工された金属板からなる摺嵌部材２３の上下両側の折り返し部２３ａ，２３ａにレンズバリア２１の上下両側の図示しない溝部が嵌合することで、メインケース２０に対するレンズバリア２１の左右方向の摺動が許容されている。
【００５３】
そして、メインケース２０側の対向面２０ａの左寄りの位置には撮影用のレンズ２４が一体的に埋設されている。
【００５４】
金属製の摺嵌部材２３の表面はバフがけやラッピングもしくは化学研磨等の処理で鏡面仕上げが施されている。
【００５５】
前記と同様、摺嵌部材２３は、製造工程におけるプレス加工の容易性や鏡面仕上げされた表面の耐腐食性等を考慮してステンレス鋼等を使用することが望ましいが、他の金属材料であっても、鏡面仕上げした表面にクロームメッキ等を施せば利用可能である。
【００５６】
なお、符号１７は公知の透過式ファインダー、また、符号１８はオートフォーカスに用いられる公知の測距用レンズ等（超音波式でもよい）である。
【００５７】
この実施形態のカメラ１９を使用して撮影者自身を被写体として撮影する自画撮りを行なう場合には、メインケース１９に対してレンズバリア２１を相対的にスライドさせて図５に示されるような状態として摺嵌部材２３の鏡面と撮影用のレンズ２４を露出させ、撮影用のレンズ２４の前玉を撮影者の顔に向ける。
【００５８】
撮影用のレンズ２４と摺嵌部材２３は共に同一の面つまりメインケース２０における対向面２０ａ上に位置するので、撮影用のレンズ２４を覗き込む撮影者自身の顔が鏡として機能する摺嵌部材２３の表面に映し出される。従って、撮影者は摺嵌部材２３の映り込みを参照して撮影領域を確認しながら容易に自画撮りの撮影操作を行うことができる。
【００５９】
この実施形態では、撮影用のレンズ２４の焦点距離に対応させて幾つかの大きさのフレーミング枠を摺嵌部材２３の表面にエッチングもしくは彫刻等の手段でマーキングし、撮影用のレンズ２４の焦点距離に応じて実際に撮像される画像の領域を摺嵌部材２３上で確認できるようにしている。図５ではフレーミング枠の四隅を“「”印と“」”印で表したマーキング例について示している。
【００６０】
距離計連動式カメラ等のフィルムカメラにあっては携帯電話のような液晶ディスプレイは備えておらず、また、液晶ディスプレイによるプレビューを行なうような構造にもなっていないが、この実施形態のカメラ１９によれば、撮影者は、摺嵌部材２３の映り込みを参照して撮影領域を確認しながら容易に自画撮りの撮影操作を行うことができる。
【００６１】
また、ディジタルカメラにあっても自画撮りに必要とされる姿勢変更可能なプレビュー用ディスプレイを設ける必要はなく、摺嵌部材２３の映り込みを利用して撮影領域を確認しながら容易に自画撮りの撮影操作を行うことができるため、構造の容易化が実現され得る。
【００６２】
カメラ１９を持ち歩いたり格納したりする際には、図５の状態からレンズバリア２１を図中左に移動させてレンズバリア２１の対向面２１ａを摺嵌部材２３の表面と完全に重合させる。摺嵌部材２３の表面と撮影用のレンズ２４がレンズバリア２１の対向面２１ａで完全に覆われるので、摺嵌部材２３の鏡面や撮影用のレンズ２４の傷付きが確実に防止される。
【００６３】
前述した各実施形態と同様、摺嵌部材２３はレンズバリア２１をメインケース２０にスライド可能に接続するための機能部品であり、この機能部品の表面に鏡面仕上げを施して鏡として利用するようにしているので、格別なパーツの追加は不要であってカメラ１９の製造コストが抑えられ、追加部品の実装によってカメラ１９の厚みが増大するといった不都合も生じない。
【００６４】
以上、本発明を撮影機能付き携帯電話に適用した場合の実施形態について図１〜図３を参照して説明し、また、本発明をストロボ付きカメラに適用した場合の実施形態について図４を参照して説明し、更に、本発明をレンズバリアを備えたカメラに適用した場合の実施形態について図５を参照して説明したが、撮影機能とスライド式ケースを備えた装置においてメインケースに対してサブケースやストロボあるいはレンズバリアをスライド可能に接続する摺嵌部材を金属板によって構成し、その平坦な表面に鏡面仕上げを施して鏡として利用することによって部品点数の増大や装置の大型化といった不都合を生じることなく容易に自画撮りを行なえるようにした技術思想に関しては、何れの実施形態についても共通である。これを更に一般化すれば、その共通点は、サブケースにおけるメインケースとの対向面またはメインケースにおけるサブケースとの対向面の何れか一方の少なくとも一部を覆うようにして他方のケースの対向面と摺嵌するための金属製の摺嵌部材が固設され、サブケースとメインケースとを相対的にスライドさせた状態で少なくとも摺嵌部材の一部が外部に露出するようにして摺嵌部材を介してメインケースとサブケースとがスライド可能に接続され、しかも、摺嵌部材の表面が鏡面仕上げされているスライド式ケースそれ自体に特徴があると言うことも可能であり、このような特徴を利用して物品の薄型化や生産コストの低減あるいは剛性の向上を図る技術は、例えば、鏡を内蔵した化粧品のパレットやコンパクトあるいはパッケージ等にも容易に転用が可能である。
【産業上の利用可能性】
【００６５】
スライド式ケースのスライド部分を接続する摺嵌部材を金属板によって構成し、その平坦な表面に鏡面仕上げを施して鏡として利用する点に関しては、スライド式ケースを備えた携帯電話およびカメラの他、鏡を必要とする化粧品のパレットやパッケージ等にも容易に転用が可能である。
【符号の説明】
【００６６】
１  撮影機能付き携帯電話
２  メインケース
２ａ  メインケースの対向面
２ｂ  メインケースにおける反対側の面
３  サブケース
３ａ  サブケースにおけるメインケースとの対向面
３ｂ  サブケースにおける反対側の面
４  スライド式ケース
５  摺嵌部材
６  液晶ディスプレイ
７  スピーカ
８  撮影用のレンズ
９  操作ボタン群
１０  マイク
１１  ストロボ付きカメラ
１２  メインケース
１２ａ  メインケースにおけるストロボユニットとの対向面
１３  ストロボユニット
１３ａ  ストロボユニットにおけるメインケースとの対向面
１４  スライド式ケース
１５  摺嵌部材
１５ａ  折り返し部
１６  撮影用のレンズ
１７  透過式ファインダー
１８  測距用レンズ等
１９  カメラ
２０  メインケース
２０ａ  メインケースにおけるレンズバリアとの対向面
２１  レンズバリア
２１ａ  レンズバリアにおけるメインケースとの対向面
２２  スライド式ケース
２３  摺嵌部材
２３ａ  折り返し部
２４  撮影用のレンズ
【図１】
2011027976.tif 000003
【図２】
2011027976.tif 000004
【図３】
2011027976.tif 000005
【図４】
2011027976.tif 000006
【図５】
2011027976.tif 000007